(57)【要約】【課題】  ＣＤ，ＤＶＤ等の記録媒体を収納した貸出しケース、又は雑誌等の物品上端部を上方へ突出した状態で収容するレンタル用カバーケースの提供。【解決手段】  レンタル用カバーケースは胴体部１と底部２、折返し片８，９，１０から成って、一枚の薄い透明又は半透明シートを折り曲げて形成し、そして、該胴体部１は長方形断面の筒体であり、胴体部１の下端部には該胴体部１の表面部４及び背面部５の下端から延びる両底片１１，１２を折り曲げて形成して水平な載置面１７を有す底部２を設け、また胴体部１の表面部４、背面部５、及び側面部６の上端から延びる折返し片８，９，１０を内側に折返している。【選択図】    図３
2015202896.tif 000002
【特許請求の範囲】
【請求項１】
ＣＤ，ＤＶＤ等の記録媒体を収納した貸出しケース、又は雑誌等の物品上端部を上方へ突出した状態で収容するレンタル用カバーケースにおいて、該レンタル用カバーケースは胴体部と底部、折返し片から成って、一枚の薄い透明又は半透明シートを折り曲げて形成し、そして、該胴体部は長方形断面の筒体であり、胴体部の下端部には該胴体部の表面部及び背面部の下端から延びる両底片を折り曲げて形成して水平な載置面を有す底部を設け、また胴体部の表面部、背面部、及び側面部の上端から延びる折返し片を内側に折返して設けたことを特徴とするレンタル用カバーケース。
【請求項２】
上記底部の縦断面を台形とし、胴体部と該底部の側面との間に隙間を形成した請求項１記載のレンタル用カバーケース。
【請求項３】
上記底部の一方側端を傾斜して、胴体部の側面部との間に隙間を形成した請求項１、又は請求項２記載のレンタル用カバーケース。
【請求項４】
上記底部の側面下端を胴体部の表面部下端及び背面部下端に溶着して溶着部を形成した請求項２、又は請求項３記載のレンタル用カバーケース。
【発明の詳細な説明】
【技術分野】
【０００１】
本発明は雑誌やビデオテープ、ＣＤ，ＤＶＤ等の記録媒体等をレンタルショップの陳列棚に配列してレンタルするための、レンタル用カバーケースに関するものである。
【背景技術】
【０００２】
音楽や映像を記録したＣＤ，ＤＶＤ等の円盤状記録媒体(ディスク)、ビデオテープは貸出しケースに収納された状態でレンタルされる。そして、該貸出しケースはレンタル用カバーケースに入れられてレンタルショップの陳列棚に配列されている。図８は従来から周知であるビデオテープのレンタル形態を示している場合であるが、レンタル用カバーケース(イ)には上端が開口していて、この上端開口からビデオテープを収納している貸出しケース(ロ)が収容されている。この場合、貸出しケース(ロ)の上端部はレンタル用カバーケース(イ)から上方へ突出している。
【０００３】
ところで、上記レンタル用カバーケース(イ)は樹脂を材質として射出成形されるが、図９は該レンタル用カバーケース(イ)の展開図を示している。レンタル用カバーケース(イ)はケース本体(ハ)、ケース蓋(ニ)、及び繋ぎ部(ホ)から成って、ケース蓋(ニ)をケース本体(ハ)に被覆して閉じることで箱型容器となり、上端開口から貸出しケース(ロ)が収容され得る。そして、ケース本体(ハ)の底部には貸出しケース(ロ)が載って支持される底板(ヘ)が設けられている。
【０００４】
該レンタル用カバーケース(イ)は射出成形され、外表面には表紙を挿入するための透明シートが熱溶着されている。レンタル用カバーケース(イ)を所定の寸法・形状に射出成形するためには、成形用の金型が必要であり、該成形金型の製作費は高く、製品となるレンタル用カバーケースに上乗せされる。勿論、成形されたレンタル用カバーケースはその肉厚は厚くて丈夫であるが、その分だけ幅寸法は大きくなり、陳列棚に配列されるレンタル用カバーケース(イ)、(イ)・・の個数は少なくなる。
【０００５】
最近では、ＣＤやＤＶＤ等の他に雑誌のレンタルも行われ、貸出しケース(ロ)の代わりに雑誌をレンタル用カバーケース（イ）に上端部を突出した状態で挿入している。
出願人は薄いシートを曲げ成形して胴体部を形成したレンタル用カバーケースの出願を行っている（特開２００４−２７６９４７）。
【０００６】
特開２００４−２７６９４７号に係る「レンタル用カバーケース」は、図１０に示すように、ＣＤ，ＤＶＤ等の記録媒体を収納した貸出しケース又は雑誌等の物品上端部を上方へ突出した状態で収容するレンタル用カバーケースにおいて、該レンタル用カバーケースは胴体部（ヌ）と台座（ト）から成り、胴体部（ヌ）は所定形状に裁断したシートを折り曲げた筒体であり、該胴体部（ヌ）に樹脂の成形品である上記台座（ト）を取着して構成している。
【０００７】
薄いシートを折り曲げた胴体部（ヌ）の下端に成形された台座（ト）が嵌って取付けられることで、ケース全体の強度・剛性が高くなり、しかも転倒することなく安定して起立することが出来る。
また、表紙は胴体部（ヌ）の内側に挿入されるが、胴体上端に折返し耳部に係止して外れることはない。胴体部（ヌ）を構成するシートは０．３〜０．５ｍｍ程度であり、収容される貸出しケースとの間に大きな隙間を残すことなく製作することで、同一サイズの陳列棚には多数のレンタル用カバーケースを配列することが出来る。
【０００８】
台座（ト）は嵌入部（チ）と底部（リ）から成り、嵌入部（チ）が胴体部（ヌ）に嵌ると共に、その両側に設けたツメが胴体部両側の下端に形成した係止穴に係止して取付けられる。該台座（ト）を取付けることで、起立した際の安定性は増すが、台座（ト）はシートを曲げ成形して製作される胴体部（ヌ）とは別部品であり、コストは高くなる。すなわち、台座（ト）は樹脂の成型品であり、その為に成形用の金型を必要とすると共に、胴体部（ヌ）に組付ける作業工程がいる。
【０００９】
特開２００９−５０６６２号に係る「展示ケース」も上記特開２００４−２７６９４７号に係る「レンタル用カバーケース」と同じであり、胴体部の底に樹脂製の台座を取付けた構造としている。このようなレンタル用カバーケースでは、台座を成形する為の金型が必要であり、成形された台座を胴体部に取付ける作業工程を要するなど、レンタル用カバーケースのコストは必然的に高くなる。
【特許文献１】特開２００４−２７６９４７号に係る「レンタル用カバーケース」
【特許文献２】特開２００９−５０６６２号に係る「展示ケース」
【発明の開示】
【発明が解決しようとする課題】
【００１０】
このように、従来のレンタル用カバーケースには上記のごとき問題がある。本発明が解決しようとする課題はこの問題点であり、台座を用いることなく一枚の薄いシートを折り曲げることで、簡単にしかも安価に製作することが出来るレンタル用カバーケースを提供する。
【課題を解決するための手段】
【００１１】
本発明に係るレンタル用カバーケースは薄い透明又は半透明なシートを用い、該シートで筒状の胴体部と該胴体部の下端部には底部を折り曲げて形成し、そして上端部には折り返し片を有している。しかし、従来のような樹脂を成形した台座は用いないで、薄いシートだけで構成している。
底部は胴体の下端を内側へ折り返して形成しているが、単に折り返しただけでなく、その断面は台形を成しており、上面は貸出ケース又はレンタル品が載る載置面を成している。
【００１２】
そして、底部の側面は傾斜し、胴体部側面との間に隙間を形成している。そこで、薄い透明又は半透明なシートを折り曲げることで、胴体部と底部及び折り返し部が形成されるように、該シートは所定の形状に裁断される。胴体部はその側面部にて互いに止着されて筒形を成し、また底部は胴体部の表面部と背面部の下端から延びる底片を折り曲げ、両底片の先端部を重ね合せて止着され、形が崩れないようにしている。さらに、底部の両側面下端を胴体部の表面部下端及び背面部下端に溶着して溶着部を形成する場合もある。
【発明の効果】
【００１３】
本発明のレンタル用カバーケースは一枚のシートを所定の形状に裁断又は切断され、このシートを折り曲げることでカバーケースは組み立てることが出来る。すなわち、胴体部と該胴体部の下端部には底部を、そして胴体部の上端部には折り返し片を一枚のシートから形成することが出来る。
樹脂で成形した台座を胴体部の底に取付けなくてもケース全体の強度・剛性が低下することはなく、しかもケースは転倒することなく安定して起立することが出来る。すなわち、底部は胴体部の表面部と背面部の下端から内側へシートを延ばして先端部を互いに止着し、断面が台形を成して形が崩れないようにしていることで、該底部の剛性は樹脂製の台座に匹敵するほど高くなる。
【００１４】
そして、表紙は胴体部の内側に挿入されるが、胴体部上端に形成した折返し片に表紙の上端部は係止して外れることはなく、また表紙の下端部は底部と胴体部の間に形成される隙間に嵌って位置決めされる。胴体部を構成するシートはその厚さが薄く、収容される貸出しケース及び雑誌との間に大きな隙間を残すことはなく製作することで、同一サイズの陳列棚には多数のレンタル用カバーケースを配列することが出来る。
【００１５】
例えばマンガをこのカバーケースに入れてレンタル用として陳列する場合、マンガの表紙を取外して胴体部内面にセットし、マンガ自体はカバーケースに収容する。そこで、表紙の下端部は底部と胴体部との隙間に挿入され、上端は折返し片との間に挟まれる。そして、マンガは底部上面（載置面）に載ることでカバーケース上端開口から一部が突出した状態と成る。そして、底部側面と胴体部との間に形成される隙間に表紙の下端が嵌るが、表面部及び背面部と底部側面の下端を溶着して溶着部を形成することで、表紙は持ち上げられてその高さを調整できる。
【図面の簡単な説明】
【００１６】
【図１】本発明に係るレンタル用カバーケースの実施例で、折り返し片が上方へ延びている状態。
【図２】レンタル用カバーケースの展開図。
【図３】本発明のレンタル用カバーケース。
【図４】レンタル用カバーケースの下端部断面図。
【図５】レンタル用カバーケースに雑誌を収容した場合の縦断面図。
【図６】胴体部の下端を底部側面と溶着して溶着部を形成したレンタル用カバーケース。
【図７】下端に溶着部を形成した縦断面拡大図。
【図８】従来のレンタル用カバーケース。
【図９】従来のレンタル用カバーケースの展開図。
【図１０】下端に台座を取付けた従来のレンタル用カバーケース。
【発明を実施するための形態】
【００１７】
図１は本発明に係るレンタル用カバーケースを示す実施例である。同図の１は胴体部、２は底部を表わし、該底部２は胴体部１の下端部に形成されていて、胴体部１の内部は収容空間３を形成している。そして、胴体部１の上端には折り返し片８，９，１０を形成している。ここで、胴体部１は樹脂製の透明シートを所定の形状に裁断し、これを折り曲げ成形して製作される。このように、レンタル用カバーケースは胴体部１と底部２、及び折り返し片８，９，１０を１枚のシートで構成し、胴体部１の収容空間３にはＣＤやＤＶＤを入れた貸出しケース又は雑誌が収容される。
【００１８】
図２は裁断された樹脂製の透明又は半透明シートであり、表面部４、背面部５、側面部６、及び側面部７ａ，７ｂ、さらに表面部４の上端には折返し片８、背面部５の上端には折返し片９、側面部６の上端には折返し片１０を有している。又、表面部４の下端には底片１１を、背面部５の下端には底片１２を有している。そして、同図の点線部にて折り曲げて胴体部１及び底部２が作られる。
【００１９】
上記点線部にて折り曲げられることで図１に示す胴体部１が作られる。ここで、側面部７ａと側面部７ｂは互いに重なり合って止着されることで長方形断面の筒形と成り、また、折返し片８，９，１０は内側に折り曲げられる。そして、該表面部４及び背面部５の下端から下方へ延びる底片１１は点線部１３ａにて内側へ折り曲げられ、点線部１３ｂにて折り曲げた底片先端部１５は水平（表面部に対して垂直方向）に位置し、同じく底片１２は点線部１４ａにて内側へ折り曲げられ、点線部１４ｂにて折り曲げた底片先端部１６は水平（背面部に対して垂直方向）に位置させる。
【００２０】
そして、水平に位置する底片１１の先端部１５と底片１２の先端部１６は互いに重なり合って止着されて縦断面台形の底部２となる。両底片１１，１２の先端部１５，１６が重なり合って形成される底部２は、その断面が台形となり、水平な先端部１５，１６は載置面１７となって、胴体部１の収容空間３に収納した貸出ケース又は雑誌は該載置面１７に載ることが出来る。
【００２１】
前記図１は胴体部１の下端部に底部２を形成し、胴体部１の上端には折返し片８，９，１０が延びている状態のレンタル用カバーケースであり、該レンタル用カバーケースに収容されて貸し出される雑誌、ＣＤ、ＤＶＤなどの内容を表示した表紙は胴体部１の内面に巻付け、胴体部１の上端に形成した折返し片８，９，１０を図３のように折返すことで表紙は折返し片８，９，１０に係止して胴体部１から外れることはない。そして、このレンタル用カバーケースの収容空間３には雑誌、又はＣＤ，ＤＶＤ等を入れた貸出しケースが収容される。
【００２２】
例えば、雑誌のレンタル用カバーケースとして用いる場合、収容空間３に雑誌が挿入されて底部２の載置面１７に載置され、雑誌の上端部は開口から上方へ突出する。この雑誌は、ＤＶＤの場合とは違い、貸出しケースに収納されることなく、そのままの状態でレンタル用カバーケースに収容されている。このように、マンガなどの各種雑誌はレンタル用カバーケースに収容された状態で陳列棚に配列され、客は該レンタル用カバーケースから所望の雑誌を抜き取って借りることが出来る。
【００２３】
そして、この場合、雑誌から表紙が取外されて胴体部１の内面に巻き付けられる。図４はレンタル用カバーケースの下端部断面を示しているように、胴体部１と底部２との間に形成される隙間１７に表紙２０の下端部が挿入される。底部２は四角台形錐を成していて、その側面１９，１９は傾斜しており、その為に胴体部１との間に隙間１８，１８が形成され、隙間１８，１８には胴体部１の内面に面して挿入される表紙２０の下端部は上記隙間１８，１８に嵌る。また、底部２の片側側端も傾斜し、胴体部１の側面との間に隙間が形成され、この隙間に表紙２０が嵌る。さらに、表紙２０の上端は胴体部１の上端に形成している折返し片８，９，１０に挟まれる。
【００２４】
そして、底部２の載置面１７には雑誌２１が載って支持され、該雑誌２１の上端部はカバーケースから突出する。図５はこの状態を表している縦断面図である。顧客はカバーケースから雑誌２１を抜き取って借りることが出来、この際に表紙２０は該カバーケースから外れることはない。
【００２５】
表紙２０は雑誌２１のカバーとして元々備わっているもので、その高さは雑誌２１と同じであり、底部２の載置面１７に載ることで該雑誌２１はカバーケースの上端開口から突出する。これに対して、表紙２０の下端部は底部２の側面１９と胴体部１との間に形成される隙間１８に嵌ることで、カバーケース上端開口から突出することはなく、折返し片８，９、１０に挟まれる。
【００２６】
一方、ＣＤやＤＶＤ等のディスクの場合には、そのままレンタル用カバーケースに収容することは出来ないために、一旦、ロックされている貸出しケースに収納し、該貸出しケースをレンタル用カバーケースに収容することが出来る。
【００２７】
図６は本発明にカバーケースを示す他の実施例である。底部２の載置面１７に載ることで該雑誌２１はカバーケースの上端開口から突出し、表紙２０の下端部は底部２の側面１９と胴体部１との間に形成される隙間１８に嵌ることで、カバーケース上端開口から突出することはなく、折返し片８，９、１０に挟まれる。したがって、表紙２０の下端は隙間１８の下端まで侵入して胴体部１の下端とほぼ同じ位置になる。
【００２８】
そのために、前記図１０に示しているカバーケース、すなわち胴体部１の下端に台座（ト）を嵌めて構成したカバーケースにセットした表紙より低く成ってしまう。したがって、本発明のカバーケースだけを陳列した場合には何ら問題はないが、従来のカバーケースと共に陳列する場合、胴体部１にセットした表紙２０の高さが不揃いと成って段差が発生する。
【００２９】
そこで、陳列棚に配列した状態での外観が損なわれないように、図６に示すカバーケースが使用される。図６のカバーケースは、胴体部１の表面部下端及び背面部下端と底部２の両側面１９，１９の下端とを溶着して溶着部２２を形成している。したがって、隙間１８の下端が閉じられ、そのために、表紙２０は隙間１８の下端まで侵入することはなく、表紙２０の高さが高くなる。
【００３０】
図７は側面１９が表面部４の下端と溶着した縦断面拡大図を示している。上記溶着部２２を所定の高さとした場合、胴体部１にセットした表紙２０の高さはＨだけ高くなる。したがって、同じ陳列棚に図６に示すカバーケースと図１０に示すカバーケースを配列した場合、胴体部１にセットした表紙２０の高さは不揃いになることなく一致し、そのために、複数のカバーケースが配列した陳列棚の外観が損なわれることはない。
【符号の説明】
【００３１】
１  胴体部
２  底部
３  収容空間
４  表面部
５  背面部
６  側面部
７  側面部
８  折返し片
９  折返し片
10  折返し片
11  底片
12  底片
13  点線部
14  点線部
15  先端部
16  先端部
17  載置面
18  隙間
19  側面
20  表紙
21  雑誌
22  溶着部
【図１】
2015202896.tif 000003
【図２】
2015202896.tif 000004
【図３】
2015202896.tif 000005
【図４】
2015202896.tif 000006
【図５】
2015202896.tif 000007
【図６】
2015202896.tif 000008
【図７】
2015202896.tif 000009
【図８】
2015202896.tif 000010
【図９】
2015202896.tif 000011
【図１０】
2015202896.tif 000012